(57)【要約】本発明は、後方散乱に基くトランスポンダの位置を測定する方法に関する。本発明に寄れば、この方法は、基地局（ＢＳ１）により不変調搬送波信号（ＴＳ）を送信し、トランスポンダ（ＴＲ１）が基地局（ＢＳ）の応答範囲へ入る時、基地局（ＢＳ１）から送信される搬送波信号（ＴＳ）の位相変調及び後方散乱により発生される位置測定信号（ＯＳ）を、トランスポンダ（ＴＲ１）により送信し、位置測定信号（ＯＳ）に基いてトランスポンダ（ＴＲ１）の位置を測定する段階を含んでいる。例えば物品経済組織における使用。
2008523416.tif 000002
【特許請求の範囲】
【請求項１】
後方散乱に基くトランスポンダの位置を測定する方法であって、
基地局（ＢＳ１）により不変調搬送波信号（ＴＳ）を送信し、
トランスポンダ（ＴＲ１）が基地局（ＢＳ）の応答範囲へ入る時、基地局（ＢＳ１）から送信される搬送波信号（ＴＳ）の位相変調及び後方散乱により発生される位置測定信号（ＯＳ）を、トランスポンダ（ＴＲ１）により送信し、
位置測定信号（ＯＳ）に基いてトランスポンダ（ＴＲ１）の位置を測定する方法。
【請求項２】
基地局（ＢＳ１）が少なくとも１つの指令をトランスポンダ（ＴＲ１）へ伝送し、トランスポンダ（ＴＲ１）が位置測定信号（ＯＳ）を送信することを特徴とする、請求項１に記載の方法。
【請求項３】
トランスポンダ（ＴＲ１）が受動トランスポンダであり、搬送波信号（ＴＳ）がトランスポンダ（ＴＲ１）に作動エネルギを供給するのに充分である時、トランスポンダ（ＴＲ１）が位置測定信号（ＯＳ）を送信することを特徴とする、請求項１又は２に記載の方法。
【請求項４】
基地局（ＢＳ１）により選択方法を実施し、１つより多いトランスポンダ（ＴＲ１〜ＴＲｎ）が位置測定信号を送信する時、多数のトランスポンダ（ＴＲ１〜ＴＲｎ）から位置を測定すべきトランスポンダ（ＴＲ１）を選択することを特徴とする、先行する請求項の１つに記載の方法。
【請求項５】
選択方法が特にスロットに基くＡＬＯＨＡ法であることを特徴とする、請求項４に記載の方法。
【請求項６】
選択方法が決定論的方法特に２進法であることを特徴とする、請求項４又は５に記載の方法。
【請求項７】
基地局から送信される搬送波信号（ＴＳ）の副搬送波による変調によって、位置測定信号（ＯＳ）が発生されることを特徴とする、先行する請求項の１つに記載の方法。
【請求項８】
トランスポンダ内部のメモリ（ＳＰ）が、位置測定信号（ＯＳ）を調節する１つ又は複数のパラメータを含んでいることを特徴とする、先行する請求項の１つに記載の方法。
【請求項９】
１つ又は複数のパラメータにより、搬送波信号（ＴＳ）を変調する変調信号（ＭＳ）の周波数及び／又は衝撃係数を調節することを特徴とする、請求項８に記載の方法。
【請求項１０】
周波数及び／又は衝撃係数をトランスポンダ内部の発振器クロック（ＣＬＫ）から誘導することを特徴とする、請求項９に記載の方法。
【請求項１１】
所定の最大時間が経過し、かつ／又はトランスポンダが指令（ＳＴ）を受信する時、トランスポンダ（ＴＲ１）が位置測定信号（ＯＳ）の送信を終了することを特徴とする、先行する請求項の１つに記載の方法。
【請求項１２】
トランスポンダ（ＴＲ１）が、別の基地局（ＢＳ２）により位置を測定されることを特徴とする、先行する請求項の１つに記載の方法。
【請求項１３】
搬送波信号（ＴＳ）の周波数がＵＨＦ周波数範囲にあることを特徴とする、先行する請求項の１つに記載の方法。
【請求項１４】
後方散乱に基くトランスポンダ（ＴＲ１）の位置を測定する方法であって、
基地局（ＢＳ１）によりトランスポンダ（ＴＲ１）へ位置測定指令（ＯＣ）を送信し、
トランスポンダ（ＴＲ１）により位置測定指令（ＯＣ）を受信し、
基地局（ＢＳ１）から送信される搬送波信号（ＴＳ）の位相変調及び後方散乱により発生される位置測定信号（ＯＳ）を、トランスポンダ（ＴＲ１）により送信し、
位置測定信号（ＯＳ）に基いてトランスポンダ（ＴＲ１）の位置を測定する方法。
【請求項１５】
トランスポンダ（ＴＲ１）へ位置測定指令（ＯＣ）を送信する前に、基地局（ＢＳ１）により選択方法を実施し、位置測定すべきトランスポンダ（ＴＲ１）を多数のトランスポンダ（ＴＲ１〜ＴＲｎ）から選択することを特徴とする、請求項１４に記載の方法。
【請求項１６】
選択方法が特にスロットに基くＡＬＯＨＡ法であることを特徴とする、請求項１５に記載の方法。
【発明の詳細な説明】
【技術分野】
【０００１】  本発明は、後方散乱に基くトランスポンダの位置を測定する方法に関する。
【背景技術】
【０００２】  トランスポンダはいわゆる無線周波識別（ＲＦＩＤ）システムにおいて使用される。この場合１つ又は複数の基地局又は読取り装置と１つ又は複数のトランスポンダとの間で、データが無線で一方向又は双方向に伝送される。トランスポンダには、例えば温度測定用センサも統合することができる。このようなトランスポンダは遠隔センサと称される。【０００３】  トランスポンダ又はその送受信装置は、基地局へのデータ伝送用能動送信器を持っていない。能動的でないこのようなシステムは、固有のエネルギ供給部を持たない時受動システムと称され、固有のエネルギ供給部を持っている時半受動システムと称される。受動トランスポンダは、供給に必要な作動エネルギ又は作動電力を、基地局により求められる電磁界から取る。【０００４】  基地局の遠隔領域においてＵＨＦ又はマイクロ波によりトランスポンダから基地局へデータを伝送するため、一般にいわゆる後方散乱結合器が使用される。このため基地局により電磁搬送波または搬送波信号が検出され、トランスポンダの送−受信装置により、基地局へ伝送すべきデータに応じて、変調方法特に副搬送波変調方法により変調されかつ反射される。このために通常使用される変調方法は、例えば教科書、Ｋｌａｕｓ  Ｆｉｎｋｅｎｚｅｌｌｅｒ，  ＲＦＩＤ−Ｈａｎｄｂｕｃｈ、３．Ａｕｆｌ．，ＨＡＮＳＥＲ，２００２，ｓｉｅｈｅ  ｉｎｓｂｅｓｏｎｄｅｒｅ  Ｋａｐｉｔｅｌ  ６．２．１  Ａｍｐｌｉｔｕｄｅｎｔａｓｔｕｎｇ及び米国特許第６，０４６，６８３号明細書に記載されているように、振幅変調である。その代わりに位相変調も使用できる。【０００５】  通常使用されるデータ伝送プロトコルでは、いわゆる“Ｒｅａｄｅｒ−ｔａｌｋｓ−ｆｉｒｓｔ”（ＲＴＦ）プロトコルと“Ｔａｇ−ｔａｌｋｓ−ｆｉｒｓｔ”（ＴＴＦ）プロトコルが区別される。ＴＴＦプロトコルでは、基地局が変調されない搬送波信号を送信する。トランスポンダが基地局の応答範囲に入り、基地局により検出される変調されない搬送波信号をトランスポンダが検出できると、それが自発的即ち自動的に信号を送信し、この信号を基地局が受信できる。トランスポンダにより送信される信号は、例えばトランスポンダ識別信号を含むことができる。これとは異なりＲＴＦプロトコルでは、トランスポンダから基地局へのデータ伝送は、基地局からトランスポンダへの指令の送信により開始され、即ちトランスポンダが自発的又は自動的に信号又は情報を送信しない。指令の送信のため、信号は通常基地局により符号化され、符号化された信号が搬送波の変調により伝送される。【０００６】  一方向ＲＦＩＤシステムでは、情報がトランスポンダのみから読取り装置へ伝送され、即ちここでは通常ＴＴＦプロトコルのみが使用される。双方向ＲＦＩＤシステムでは、情報がトランスポンダと読取り装置との間で両方向に伝送される。ここではＴＴＦシステム及びＲＴＦシステムが使用される。【０００７】  いわゆるつかみ−置き使用では、例えば包装物から成る物体がつかみ器により取出され、続いて特定の場所例えば印刷回路板上に置かれる。置くべき物体の最初の場所が未知であり、これは例えばパレットの場合であり、パレットはロジスティック連鎖内で、前もって精確には規定されない場所に置かれると、つかみ−置き使用の第１段階で、置くべき物体の空間的位置測定を行わねばならない。【０００８】  物体例えばパレット又はパレットの個々の包装物単位が、標識付け用トランスポンダを設けられると、トランスポンダを物品の標識付け及びその位置測定に使用することができる。この場合標識付けは、従来は例えばメモリ範囲における物品標識の記録により行われる。空間的位置測定は、トランスポンダにより送信される位置測定信号に基いて行うことができる。この場合ロボットが位置測定信号を位置ベクトルとして使用することができる。位置測定方法は、例えば米国特許第６，０４６，６８３号明細書に記載されている。【０００９】  米国特許第６，０４６，６８３号明細書では、基地局がＲＴＦプロトコルのため最初は未知のトランスポンダに話しかけるか、又は多数のタグから隔離又は別々にして、直接又は間接に位置測定信号の送信を可能にすることによって、位置測定信号の送信が開始される。換言すれば基地局は連続的に問合せ指令を送信して、新たにその応答範囲に達するトランスポンダを見出さねばならない。このいわゆるポーリングは干渉スペクトルを生じる。【００１０】  位置測定信号に加えて、即ち能動位置測定信号の場合、トランスポンダにおけるデータ受信が可能であるようにする時、後方散乱信号の振幅変調を行うトランスポンダシステムでは、位置測定信号の持続時間を時間的に限定するか、トランスポンダにより送信される位置測定信号を、トランスポンダにおける情報受信が可能である特定の時間間隔中に、中断するか又は抑制せねばならない。【００１１】  その理由は、基地局からトランスポンダへのデータ伝送が、基地局により送信される搬送波信号の順次に続くノッチとも称される電磁界隙間又は電磁界弱め部の形の搬送波信号の振幅変調によって通常行われるからである。このようなノッチは、トランスポンダにおいて、いわゆる受信器信号強さ表示器（ＲＳＳＩ）回路によって検出される。【００１２】  トランスポンダの位置測定信号が、トランスポンダによる搬送波信号の振幅変調及び後方散乱によって発生され、トランスポンダの入力インピーダンスの実数部分が変化される（これに対してＦｉｎｋｅｎｚｅｌｌｅｒ，Ｋａｐｉｔｅｌ  ４．２．５．４有効面及び後方散乱断面も参照のこと）。入力インピーダンスの実数部分の変化は、トランスポンダのインピーダンスに関して、トランスポンダの入力インピーダンスの整合又は誤整合を生じ、それによりトランスポンダアンテナの反射特性又は受信特性が変化し、従って電力が多かれ少なからトランスポンダ又はそのアンテナにより反射されるか又は受信される。この場合変調指数は比較的大きくて、いわゆる吸収状態即ち整合状態と反射状態即ち誤整合状態との間のそれに応じて大きい電磁界強さの差を生じる。【００１３】  トランスポンダにより受信されるレベルは、基地局とトランスポンダとの間の距離の増大する際著しく低下するので、例えば１２５ｋＨｚＲＦＩＤシステムとは異なり、レベルをトランスポンダにおいて高めねばならない。それにより、トランスポンダ自体により引起される受信搬送波信号の入力振幅の変動が、位置測定信号の発生���に受信される搬送波信号の振幅変調及び後方散乱によって生じ、基地局により発生されるノッチ信号を著しく費やしてのみ区別され、これらのノッチ信号も同様に受信される搬送波信号の振幅の変化を引起す。これは、到達距離を大きくするためノッチ発生のための電磁界弱め（変調指数）が小さく保たれる時、特に当てはまる。その場合区別のため、トランスポンダに、余分の費用のかかる入力フィルタが必要である。フィルタによる区別を行うため、受信されかつ後方散乱される信号の側波帯が比較的大きく離れていなければならない。これはしばしば実現されない。なぜならば、そうでないと適当な規格及び／又は標準に違反することになるからである。【００１４】  要約すればこれは、既に説明したように、トランスポンダ側振幅変調のため、トランスポンダと基地局との間の通信が、半二重作動においてのみ行われるからである。トランスポンダは、それが位置測定信号を送信している間、基地局の変調信号を受信できない。その結果位置測定信号の持続時間を時間的に限定するか、又はトランスポンダにより送信される位置測定信号を、トランスポンダにおける情報受信を可能にする特定の時間中に中断するか又は抑制せねばならない。【００１５】  しかし特定の使用では、時間的に限定されない連続的な位置測定信号を発生し、同時に基地局により応答可能なトランスポンダは必要であり、トランスポンダにより送信される位置測定信号に基いて基地局により存在するものと認められて後、その識別信号を問合わせるか又はそれらをプログラミングする。【００１６】  米国特許第６，０４６，６８３号明細書に記載されている位置測定方法では、基地局が適当な問合わせ指令をトランスポンダに送信することによって、基地局による位置測定信号の送信が開始される。米国特許第６，０４６，６８３号明細書に記載されている方法はＲＴＦプロトコルに基いているので、トランスポンダがその応答範囲にあるか否かの検出のため、基地局が連続的に問合わせ指令を送信して、新たに応答範囲へ達するトランスポンダの応答を行わねばならない。しかし基地局によるこのように永続的な情報伝送は、しばしば望ましくない干渉スペクトルを生じる。更に新たに基地局の応答範囲に達するトランスポンダを短い遅れ時間で検出可能にするため、高い周波数を持つ問合わせ指令を送信せねばならない。
【発明の開示】
【発明が解決しようとする課題】
【００１７】  技術的問題として、比較的少ない干渉スペクトル及び短い検出時間を持つ後方散乱に基くトランスポンダの位置を測定するため簡単かつ安価に実行可能な方法を提供することが、本発明の基礎となっており、トランスポンダが位置測定信号を送信し、トランスポンダによるデータ受信が可能であり、トランスポンダが連続的な位置測定信号を送信する。
【課題を解決するための手段】
【００１８】  本発明は請求項１の特徴を持つ方法の提供により、この問題を解決する。【００１９】  本発明に寄れば、まず基地局が搬送波信号の変調により場合によってはその応答範囲に存在するトランスポンダに問合わせ指令を送信することなく、変調されない搬送波信号を送信する。トランスポンダが基地局の応答範囲に入ると、基地局から送信される搬送波信号の位相変調及び後方散乱により発生される位置測定信号を、このトランスポンダが送信する。その場合位置測定信号に基いてトランスポンダが位置を測定される。【００２０】  基地局は連続的な問合わせ信号を送信しないので、それにより生じる干渉スペクトルを回避することができる。トランスポンダが基地局の応答範囲又は到達距離に達すると、トランスポンダは直ちに位置測定信号を送信するので、トランスポンダは実際上遅れなしに基地局により検出される。この場合問合わせ指令の送信及び基地局によるトランスポンダの識別は、米国特許第６，０４６，６８３号明細書におけるように必ずしも必要ではない。なぜならば、基地局の応答範囲内におけるトランスポンの存在を知りさえすればよいからである。【００２１】  位相変調のため、後方散乱されるか又はトランスポンダで受信される信号の振幅は実質的に一定なので、このＲＳＳＩ回路にあるトランスポンダによる位置測定信号の発生のため、ノッチは検出されない。データ伝送のため基地局が実際にノッチ信号を発生する時に初めて、トランスポンダが多分同時に位置測定信号を送信しても、ノッチ信号はトランスポンダにおいても検出される。こうして例えば位置測定過程の終了後、トランスポンダは記述又はプログラミングされる。位相変調を行う回路装置及び方法は、例えば出願人の以前のドイツ連邦共和国特許出願第１０３２５３９６．３号に示されており、その内容がそのままここに取入れられる。【００２２】  請求項２による方法の展開では、基地局が少なくとも１つの指令をトランスポンダへ伝送し、トランスポンダが位置測定信号を送信する。指令は例えば書込み指令、読取り指令及び／又はプログラミング指令であってもより。こうしてＴＴＦプロトコルの利点を互いに組合わせることができる。【００２３】  請求項３による展開では、トランスポンダが受動トランスポンダであり、搬送波信号がトランスポンダに作動エネルギを供給するのに充分である時、トランスポンダが位置測定信号を送信する。こうして位置測定信号の送信が電磁界強度に自動的に関係して制御される。【００２４】  請求項４による展開では、基地局により選択方法を実施し、１つより多いトランスポンダが位置測定信号を送信する時、多数のトランスポンダから位置を測定すべきトランスポンダを選択する。この場合原則的に確率論的選択方法と決定論的方法とが区別される。決定論的選択方法及び確率論的選択方法についての詳細な説明は、例えば教科書ＫｌａｕｓＦｉｎｋｅｎｚｅｌｌｅｒ，ＦＲＩＤ−Ｈアンｄ部ｃｈ、３．Ａｕｆｌ．，ＨＡＮＳＥＲ，２００２（特にＫａｐｉｔｅｌ  ７．２  Ｖｉｅｌｆａｃｈｚｕｇｒｉｆｆｓｖｅｒｆａｈｒｅｎ参照）にある。基地局は、それにより受信される信号の特に時間範囲における分析により、複数の信号が重なるため複数のトランスポンダが同時に位置測定信号を送信しているか否かを知ることができる。従って１つのトランスポンダのみが位置測定信号を送信する場合と比較して、基地局に異なる入力信号推移が生じる。選択方法の開始を示すそれぞれのトランスポンダにおける選択指令の受信は、例えばトランスポンダにおけるそれぞれの位置測定信号の発生をやめることができる。選択過程が行われた後、基地局は明確な位置測定信号を、選択されたトランスポンダへ送信することができる。位置測定指令の受信後、対応するトランスポンダは改めてその位置測定信号を発生し、それにより選択されたトランスポンダの位置が測定可能である。位置測定が行われた後、例えば別の指令が選択されたトランスポンダに送信されて、その位置測定信号を再び遮断することができる。それに続いて、前に選択されたトランスポンダを除いて、再び選択過程を行うことができ、それにより別のトランスポンダの位置が測定可能である。【００２５】  請求項５による展開では、選択方法が特にスロットに基くＡＬＯＨＡ法である。ＡＬＯＨＡ法は、トランスポンダにより制御される確率論的方法であり、トランスポンダが時間をずらして伝送すべきデータを送信する。時間ずれは、一般にトランスポンダにおいて発生される乱数に基いて調節される。複数のトランスポンダが同じ時間スロット内に識別番号を送信すると、いわゆる衝突が起こる。通常これは、基地局が送信されたデータを誤りなく受信するのを妨げる。スロットに基くＡＬＯＨＡ法では、単純なＡＬＯＨＡ法に比較して、衝突の確率が著しく少なくされる。それは基地局により制御される確率論的方法であり、トランスポンダが所定の同期時点にのみ能動的になり、即ちデータの伝送を開始する。このため基地局は番号を付けられた時間スロット又はスロットを規定し、トランスポンダがそれぞれ乱数を発生し、時間スロットの番号に一致する乱数を持つ各トランスポンダが、この時間スロットにあるデータ又は識別信号を基地局に送信する。選択方法を開始するため、基地局は一般に指令をトランスポンダに送信し、この指令により選択過程の開始が示される。指令の受信後トランスポンダにおいて、例えば前にトランスポンダで計算されたそれぞれの乱数が記憶される。１つのトランスポンダのみが１つの時間スロット内に識別信号を送信すると、このトランスポンダが時間スロット内で選択されるか、又は肯定応答指令の送信により基地局によって選択される。【００２６】  請求項６による方法の展開では、選択方法が決定論的方法特に２進法であり、スリーウォーキングメカニズム又はバイナリ・スリー・サーチとも称される。更に混合確率論的−決定論的方法も可能である。このような混合方法は、出願人の以前のドイツ連邦共和国特許出願第１０３４９６４７．５号明細書に示されており、その内容がここにそのまま取入れられる。【００２７】  請求項７による展開では、基地局から送信される搬送波信号の副搬送波による変調によって、位置測定信号が発生される。副搬送波による搬送波信号の変調は、例えば教科書Ｋｌａｕｓ  Ｆｉｎｋｅｎｚｅｌｌｅｒ，ＲＦＩＤ−Ｈａｎｄｂｕｃｈ，３．Ａｕｆｌ．，ＨＡＮＳＥＲ．２００２（特にＫａｐｉｔｅｌ  ３．２．１．２．２Ｌａｓｔ��ｏｄｕｌａ
2008523416.tif 000003
送波信号の変調は、基地局における後方散乱信号の簡単な評価を可能にする。なぜならば、搬送波信号と比較して著しく弱い後方散乱信号が、周波数範囲において側波帯へ移動されており、従って基地局において適当なフィルタにより搬送波信号から分離されるからである。【００２８】  請求項８による方法の展開では、トランスポンダ内部のメモリが、位置測定信号の特に周波数を調節する１つ又は複数のパラメータを含んでいる。パラメータは、例えば指令パラメータの形の指令によっても、トランスポンダに伝送することができる。選択方法が必要な場合、パラメータを規定する指令が位置測定指令であってもよい。これにより例えば、１つ又は複数の位置測定信号により生じるスペルトルが他のＲＦＴＤ使用のスペクトルと衝突しないようにすることができる。位置測定信号が位置測定指令により調節される時、基地局は動的に、予め見出された周囲条件に関係して、位置測定信号のスペクトルを調節することができる。請求項９による有利な展開では、１つ又は複数のパラメータにより、搬送波信号を変調する変調信号の周波数及び／又は衝撃係数を調節する。これにより位置測定信号のほぼ任意のスペクトルが調節される。請求項１０によれば、周波数及び／又は衝撃係数をトランスポンダ内部の発振器クロックから誘導する。このため例えばカウンタがトランスポンダ内部の発振器クロックで作動せしめられ、計数が位置測定信号の調節に役立つパラメータの値に達すると、変調状態が切換えられる。パルス−休止比を調節可能な２つのパラメータ値の使用により、異なるスペクトルが設定される。【００２９】  請求項１１による方法の展開では、所定の最大時間が経過し、かつ／又はトランスポンダを受信する時、トランスポンダが位置測定信号の送信を終了して、ＴＴＦ作動で別のトランスポンダの識別を可能にする。特定の時間後、トランスポンダの位置が測定された確率が高い。従ってトランスポンダが信号の送信を中止し、それにより別のトランスポンダの位置を測定できるのが有効である。位置測定が行われた後、別のトランスポンダの位置を測定できるようにするため、特別に設けられる指令によりトランスポンダを“無言”に切換えることもできる。【００３０】  請求項１３のよる展開では、トランスポンダが、別の基地局により位置を測定される。別の基地局は、例えばトランスポンダ又はトランスポンダで特徴づけられる物品をつかむのに用いられるロボットに設けることができる。【００３１】  請求項１３による展開では、搬送波信号の周波数がＵＨＦ周波数範囲にある。【００３２】  本発明の実施例が図面に示されており、以下に説明される。
【発明を実施するための最良の形態】
【００３３】  図１は、例えば商品経済組織内で使用できるトランスポンダに基くつかみかつ置く使用を示している。図示した使用は第１の基地局ＢＳ１、第２の基地局ＢＳ２を含むロボットＲＢ、及びパレットＰＴを含み、パレットＰＴ上に複数の物品ＷＡ１〜ＷＡｎが置かれ、それぞれ付属する受動後方散乱トランスポンダＴＲ１〜ＴＲｎで標識付けされている。【００３４】  トランスポンダＴＲ１〜ＴＲｎはそれぞれ１つのメモリＳＰ、発振器ＯＺ、カウンタＺＬ、インピーダンス制御装置ＩＳ及びアンテナＡＴを含んでいる。【００３５】  基地局ＢＳ１は、トランスポンダＴＲ１〜ＴＲｎの給電に役立つＵＨＦ範囲の搬送波信号ＴＳを放出し、トランスポンダが基地局ＢＳ１の送−受信領域に達すると、これらのトランスポンダにより搬送波信号が位置測定信号ＯＳとして位相変調されて後方散乱される。【００３６】  図２は、位置測定信号ＯＳを発生するため基地局ＢＳから送信される搬送波信号ＴＳを変調するためそれぞれのトランスポンダＴＲ１〜ＴＲｎにおいて発生される変調信号ＭＳの時間的経過を示している。変調信号ＭＳは周期ＴＰ、オン期間Ｔ１及びオフ期間ＴＰ−Ｔ１を」持っている。前記の期間ＴＰ及びＴ１から、変調信号ＭＳの周波数及び衝撃係数が簡単に計算される。変調信号ＭＳはいわゆる副搬送波である。【００３７】  期間Ｔ１及びＴＰを調節するため、メモリＳＰは、カウンタＺＬの係数との比較に役立つ数値の形のパラメータを含んでいる。メモリはトランスポンダＴＲ１〜ＴＲｎの製造時点に既に初期化されるか、又は適当なパラメータ値が位置測定指令又はその他の指令に含まれ、その場合メモリＳＰに記録されることができる。５０／５０衝撃係数が実行されると、１つの計数のみを記憶又は使用することができる。カウンタＺＬは発振器ＵＺのクロック信号ＣＬＫで増分される。カウンタＺＬは例えば８ビットの幅なので、２５６クロック後にあふれる。【００３８】  メモリＳＰ及びカウンタＺＬと接続されるインピーダンス制御装置ＩＳは、カウンタＺＬの計数と記憶されている数値とを比較し、計数と数値が一致していると、変調信号ＭＳの状態を変化する。変調信号ＭＳの状態の変化は、トランスポンダＴＲ１の複素入力インピーダンスＺＥのほぼ虚数部分の変化を伴い、この変化が後方散乱される信号又は位置測定信号ＯＳの位相変化従って位相変調を行う。この場合後方散乱されかつトランスポンダＴＲ１により受信される信号の負荷変化従って振幅変化従って振幅変化が実質的に行われないように、インピーダンス変化が行われる。これは、トランスポンダＴＲ１により位置測定信号ＯＳの発生のため、トランスポンダＴＲ１のＲＳＳＩ回路にノッチが発生されるのを防止する。従ってトランスポンダＴＲ１は、位置測定信号ＯＳの送信中も受信準備ができている。【００３９】  図３は位置測定過程の時間的経過の線図を示し、トランスポンダＴＲ１が第２の基地局ＢＳ２により位置を測定され、ロボットＲＢによりパレットＰＴからつかみ出されるか又は別々にされ、続いて所定の場所に降ろされる。もちろん位置測定を基地局ＢＳ１によって行うこともできる。【００４０】  パレットＰＴが例えば運送業者により配達され、基地局ＢＳ１又はＢＳ２の応��範囲に達する時、どんな物品又はどんなトランスポンダＴＲ１〜ＴＲｎがパレットＰＴにあるか、基地局ＢＳ１又はＢＳ２には一般に分かっていない。【００４１】  トランスポンダＴＲ１〜ＴＲｎの１つが基地局ＢＳ１の応答範囲に達すると、即ち搬送波信号ＴＳが対応するトランスポンダＴＲ１〜ＴＲｎに作動エネルギを供給するのに充分であると、このトランスポンダが位置測定信号ＯＳを発生又は送信する。図示した実施例では、すべてのトランスポンダＴＲ１〜ＴＲｎが実際上同時に基地局ＢＳ１の応答範囲に達しており、それによりトランスポンダが同時にそれぞれ位置測定信号ＯＳの送信を開始し、即ちそれぞれの位置測定信号ＯＳが重なる。【００４２】  基地局は重畳された位置測定信号ＯＳを受信し、時間範囲における分析に基いて、重畳された信号が存在することを知る。それから基地局は、複数のトランスポンダＴＲ１〜ＴＲｎが同時に応答範囲へ達していることを推論することができる。トランスポンダＴＲ１〜ＴＲｎのそれぞれの位置測定信号が、その特性において例えばそのそれぞれのパラメータＴ１及びＴＰに関して異なっていると、特別なトランスポンダＴＲ１〜ＴＲｎの位置測定を、それにより発生される位置測定信号ＯＳの特別な特性に基いて行うことができる。位置測定信号ＯＳが相違していないか又は僅かしか相違していない場合、特別なトランスポンダＴＲ１〜ＴＲｎの位置測定のため、まず選択方法が実施され、位置測定すべきトランスポンダ、図示した例ではトランスポンダＴＲ１が選択される。【００４３】  トランスポンダＴＲ１の選択のため、基地局ＢＳ１はスロットに基くＡＬＯＨＡ選択法を実施する。しかし選択のため、別の従来の選択方法も適している。選択方法の開始後、例えば基地局ＢＳからトランスポンダＴＲ１〜ＴＲｎへ適当な指令の送信により、それぞれのトランスポンダＴＲ１〜ＴＲｎが、その位置測定信号ＯＳの送信を中止する。別々にされるか又は選択されたトランスポンダの位置測定のため基地局から別々にされたトランスポンダへ指令が送られ、それからこのトランスポンダが改めて位置測定信号ＯＳを発生する。この過程を以下詳細に説明する。【００４４】  選択方法の初めに、基地局ＢＳ１が選択指令ＡＫをトランスポンダＴＲ１〜ＴＲｎに送信する。選択指令ＡＫの受信後それぞれのトランスポンダＴＲ１〜ＴＲｎにおいて、これらのトランスポンダがその位置測定信号ＯＳの送信を中止する。続いてトランスポンダが、どのスロットにおいてトランスポンダＴＲ１〜ＴＲｎがその識別信号を後方散乱するかを規定する乱数を、内部で発生する。【００４５】  さて基地局ＢＳ１は、第１の時間スロットＳ１の開始を通報する指令ＮＳを送信する。トランスポンダＴＲ１〜ＴＲｎは第１の時間スリットＳ１に割当てられた乱数を持っていないので、この時間スリットにおいて識別信号は後方散乱されない。基地局ＢＳ１は特定の待ち時間後改めて指令ＮＳを伝送し、この指令が第２の時間スリットＳ２の開始を通報する。トランスポンダＴＲ１は、第２の時間スリットＳ２に割当てられた乱数を持っている。従ってこのトランスポンダは、その識別信号ＩＤを基地局ＢＳ１へ後方散乱する。基地局ＢＳ１は、ビット符号化に基いて、時間ス���ットＳ２において衝突が起こらなかったこと、即ち１つのトランスポンダのみが識別信号を後方散乱したことを知る。【００４６】  今や基地局ＢＳ１は、その位置測定を可能にするため、位置測定指令ＯＣをトランスポンダＴＲ１に送信する。トランスポンダＴＲ１による位置測定信号ＯＳの受信後、このトランスポンダは、基地局ＢＳ１から送信される搬送波信号ＴＳの位相変調及び後方散乱により発生される位置測定信号ＯＳを送信する。トランスポンダＴＲ１は、位置測定指令ＯＣの受信後、いわゆる持続作動状態に変化する。位置測定指令ＯＣが送信されないと、持続作動状態への変化が行われず、選択されたトランスポンダが、別の指令ＮＳ又は再度の選択過程を開始する指令を受信する際、スリープ又は静止作動状態に変化し、この作動状態中にトランスポンダはもはや選択過程に関与せず、位置測定信号ＯＳも発生しない。これに反し持続作動状態にあるトランスポンダＴＲ１は、最大時間が経過するか又はトランスポンダがその位置測定信号ＯＳを遮断する特別な指令を受けるまで、その位置測定信号ＯＳを送信する。【００４７】  ロボットＲＢは、位置測定信号ＯＳの電磁界強度の増大する方向への運動を行うことによって、基地局ＢＳ２により、位置測定信号ＯＳに基いて、トランスポンダＴＲ１の位置を測定する。トランスポンダＴＲ１の位置が測定されると、トランスポンダはロボットＲＢによりつかまれ、図示しない特定の場所に置かれる。【００４８】  位置測定過程の別の経過において基地局ＢＳ１は、第３の時間スロットＳ３の開始を通報する別の指令ＮＳを伝送する。この時点にトランスポンダは既に位置を測定されているので、基地局ＢＳ１は指令ＳＴをトランスポンダＴＲ１に送信し、それからこのトランスポンダが位置測定信号ＯＳの送信を終了する。【００４９】  図示した実施例により、後方散乱に基くトランスポンダの位置を測定するため簡単かつ安価に実行される方法が利用可能にされ、１つ又は複数のトランスポンダが位置測定信号を送信し、トランスポンダが位置測定信号を送信する間に、このトランスポンダによるデータ受信が可能である。【００５０】  上述した実施例は、トランスポンダに基くつかみかつ置く使用を示している。後方散乱に基くトランスポンダのための本発明による位置測定方法が、例えば盗難防止使用のためにも使用可能であることは、明らかである。この場合例えばトランスポンダにより自動的に発生される位置測定信号に基いて、トランスポンダにより特徴づけられる物品が、例えば百貨店の出口の範囲に設置可能な基地局の応答範囲又は電磁界に達すると、これを知ることができる。その場合基地局は、受信される位置測定信号により始動して、物品が前もって帳場で代金を支払われたか否かを示す内容を持つトランスポンダのメモリ範囲を読み出す。物品の代金が支払われていない場合、基地局は盗難警報信号を出力することができる。【００５１】  別の使用事例は、倉庫経済システムの分野である。この場合物品を特徴づけるトランスポンダは、基地局の指令により構成されて、第１の構成モードにおいて、トランスポンダが基地局の到達距離に来ると、トランスポンダは位置測定信号を発生しない。これに反し第２の構成モードにお���て、トランスポンダが基地局の到達距離に来ると、トランスポンダが自動的に位置測定信号を発生し、即ちトランスポンダが本発明による位置測定方法を実施する。例えばトランスポンダ又はそれにより特徴づけられる物品が、最終処理又は最終消費者への引渡しのため所定の倉庫へ供給されると、第２の構成モードが動作可能である。物品が規則正しくパレット上に荷造りされ、例えば最終消費者への発送の準備ができていると、トランスポンダは無接触で基地局により第１の構成モードへ移行せしめられ、従って基地局を備えている監視所を妨げられることなく通過することができる。なぜならば、この基地局の応答範囲にあるトランスポンダは、自動的には位置測定信号を発生しないからである。物品の発送準備がまだできておらず、即ちトランスポンダがまだ第２の構成モードにあり、監視所を通過すると、トランスポンダが自動的に位置測定信号を発生する。従って位置測定信号に基いて、まだ発送準備のできていない物品が倉庫管理の誤りのため意に反して引渡されるのを確かめることができる。【００５２】  本発明による位置測定方法は、更にいわゆる自走システムの周辺において使用することができる。この場合自動制御される車両例えばパレットに対する障害物は、本発明による位置測定方法を実施するトランスポンダを設けられる。自走車両は、１つ又は複数の基地局を設けられる。自走車両が、１つ又は複数のトランスポンダを備えたパレットの範囲に達すると、トランスポンダが位置測定信号を送信する。従って自走車両は障害物を自動的に回避することができる。【００５３】  トランスポンダにより発生される位置測定信号が例えば異なる副搬送周波数を持っていると、こうして簡単な案内システムを構成することができる。この場合車両は、第１の周波数を持つ第１の案内ビームに沿って、この案内ビーム又はこの位置測定信号を送信する第１のトランスポンダの所まで動く。それから車両は、所定の周波数を持つ信号を送信する第２のトランスポンダの所へ自動的に動くことができる。
【図面の簡単な説明】
【００５４】
【図１】つかみかつ置く使用を示す。
【図２】基地局から送信される搬送波信号を変調する変調信号の時間的経過の線図を示す。
【図３】位置測定過程の時間的経過の線図を示す。
【図１】
2008523416.tif 000004
【図２】
2008523416.tif 000005
【図３】
2008523416.tif 000006
【手続補正書】
【提出日】平成18年6月20日(2006.6.20)
【手続補正１】
【補正対象書類名】特許請求の範囲
【補正対象項目名】請求項１
【補正方法】変更
【補正の内容】
【請求項１】
後方散乱に基くトランスポンダの位置を測定する方法であって、
基地局（ＢＳ１）により不変調搬送波信号（ＴＳ）を送信し、
トランスポンダ（ＴＲ１）が基地局（ＢＳ）の応答範囲へ入る時、基地局（ＢＳ１）から送信される搬送波信号（ＴＳ）の位相変調及び後方散乱により発生される位置測定信号（ＯＳ）を、トランスポンダ（ＴＲ１）により送信し、その際位置測定信号の送信中トランスポンダによるデータ受信が可能であり、
位置測定信号（ＯＳ）に基いてトランスポンダ（ＴＲ１）の位置を測定する方法。
【手続補正２】
【補正対象書類名】明細書
【補正対象項目名】００１６
【補正方法】変更
【補正の内容】
【００１６】  米国特許第６，０４６，６８３号明細書に記載されている位置測定方法では、基地局が適当な問合わせ指令をトランスポンダに送信することによって、基地局による位置測定信号の送信が開始される。米国特許第６，０４６，６８３号明細書に記載されている方法はＲＴＦプロトコルに基いているので、トランスポンダがその応答範囲にあるか否かの検出のため、基地局が連続的に問合わせ指令を送信して、新たに応答範囲へ達するトランスポンダの応答を行わねばならない。しかし基地局によるこのように永続的な情報伝送は、しばしば望ましくない干渉スペクトルを生じる。更に新たに基地局の応答範囲に達するトランスポンダを短い遅れ時間で検出可能にするため、高い周波数を持つ問合わせ指令を送信せねばならない。
欧州特許出願公開第１４８２６４７号明細書は、後方散乱に基くトランスポンダの位相変調用回路装置を記載している。
米国特許出願公開第２００３／１６４７５２号明細書は、基地局により受信窓が規定されるＲＦＩＤシステムを開示しており、トランスポンダのエネルギを節約する作動を可能にするため、トランスポンダが情報を基地局へ伝送することができる。
【国際調査報告】
2008523416.tif 000007
2008523416.tif 000008
2008523416.tif 000009
2008523416.tif 000010